(57)【要約】【課題】磁気検出手段を用いた回転シャフトの回転情報検出機構を備えた電磁クラッチにおいて、磁気検出手段に及ぼすクラッチ動作に必要な磁力の影響を低減する。【解決手段】電磁コイル１０７が生成する磁力によって、ロータ１０１にアーマチュア１０５が吸引され、ロータ１０１の回転力が回転シャフト１０３に伝達される電磁クラッチ１００において、回転シャフト１０３の軸端部に固定されたラジアル磁極を有する多極磁石１１０が生成する磁界をＭＲセンサ１１５によって検出し、回転シャフト１０３の回転情報を検出する。この際、電磁コイル１０８とＭＲセンサ１１５との間に磁気シールド板１１１および１１３を配置し、電磁コイル１０８が生成する漏洩磁束がＭＲセンサ１１５に影響を与えないようにする。【選択図】図１
2008286285.tif 000002
【特許請求の範囲】
【請求項１】
ロータと、
前記ロータに対して所定の隙間を有した状態で対向して配置されたアーマチュアと、
前記アーマチュアと共に回転する回転シャフトと、
磁性体により構成されるステータハウジングに固定され、前記ロータと前記アーマチュアとを吸着させる磁力を発生するための電磁コイルと、
前記回転シャフトに対して固定された磁石と、
前記ステータハウジングに対して固定され、前記磁石の磁気を検出する磁気検出手段と、
前記磁気検出手段と前記電磁コイルとの間に配置された磁気シールド手段と
を備えることを特徴とする電磁クラッチ。
【請求項２】
前記磁気シールド手段は、所定の間隔を有して配置された複数の磁気シールド板であることを特徴とする請求項１に記載に電磁クラッチ。
【請求項３】
前記磁気シールド手段は、前記回転シャフトに対して固定された第１の磁気シールド板と、前記ステータハウジングに対して固定された第２の磁気シールド板とを備えることを特徴とする請求項１に記載の電磁クラッチ。
【請求項４】
前記第１の磁気シールド板は、円板部分または円環部分を備えると共に、前記ステータハウジングと前記第２の磁気シールド板の間に配置され、
前記第２の磁気シールド板は、円環部分と円筒部分とを備え、
前記第２の磁気シールド板が備えた円環部分は、前記第１の磁気シールド板が備えた円板部分または円環部分に対向し、
前記第２の磁気シールド板が備えた円筒部分は、前記第１の磁気シールド板が備えた円板部分または円環部分の外周面の外側を覆っていることを特徴とする請求項３に記載の電磁クラッチ。
【請求項５】
前記回転シャフトは磁性材料により構成されており、
前記磁石は、非磁性材料のスペーサを介して前記回転シャフトに固定されていることを特徴とする請求項１〜４のいずれか一項に記載の電磁クラッチ。
【請求項６】
前記第１の磁気シールド板は、前記回転シャフトの長手方向に垂直な断面の少なくとも一部を覆うことを特徴とする請求項３〜５のいずれか一項に記載の電磁クラッチ。
【請求項７】
前記回転シャフトは磁性材料により構成されており、
前記第１の磁気シールド板は、非磁性材料のスペーサを介して前記回転シャフトに取り付けられていることを特徴とする請求項３〜６のいずれか一項に記載の電磁クラッチ。
【請求項８】
前記回転シャフトは磁性材料により構成されており、
前記磁気シールド手段は、前記磁気検出手段と前記電磁コイルとの間において、前記回転シャフトの断面を通る磁束を遮蔽する磁気シールド手段であることを特徴とする請求項１に記載の電磁クラッチ。
【発明の詳細な説明】
【技術分野】
【０００１】
本発明は、電磁クラッチにおける回転シャフトの回転情報を、磁気検出手段を利用して検出する技術に関し、特に磁気検出手段に及ぼす漏洩磁束の影響を抑え、検出精度を向上させる技術に関する。
【背景技術】
【０００２】
磁力によってクラッチの接続／非接続を行う電磁クラッチが知られている。電磁クラッチは、電磁コイルによって生成される磁力によってロータにアーマチュア（摩擦板）を吸引させ、両者間の摩擦力によって、駆動力の伝達が行われる。また、電磁コイルへの通電を切れば、ロータからアーマチュアが離れ、駆動力の伝達が遮断される。
【０００３】
電磁クラッチは、クラッチの動作を電子的に制御することができる優位性がある。また、駆動力を伝達する回転シャフトの回転角を計測する構成を内蔵することで、駆動力の伝達制御に加えて、駆動軸の角度制御に利用することもできる。
【０００４】
クラッチの回転シャフトの回転を検出する技術に関しては、例えば特許文献１に記載された構成が公知である。また、特許文献２には、ＭＲセンサを用いて磁性体ロータの回転を検出する技術が記載されている。
【０００５】
【特許文献１】特開２００５−１２１１０５号（要約書）
【特許文献２】特開２００６−２５０６２９号（要約書）
【発明の開示】
【発明が解決しようとする課題】
【０００６】
電磁クラッチは、その動作の原理上、磁束が発生する。この磁束が上述した回転シャフトの回転角を検出するための磁気検出手段において検出されると、磁気検出手段の検出出力に歪み等が発生し、検出精度が低下する。そこで、本発明は、磁気検出手段を用いた回転シャフトの回転情報検出機構を備えた電磁クラッチにおいて、磁気検出手段に及ぼすクラッチ動作に必要な磁力の影響を低減することができ、検出精度を向上させる技術を提供することを目的とする。
【課題を解決するための手段】
【０００７】
請求項１に記載の発明は、ロータと、前記ロータに対して所定の隙間を有した状態で対向して配置されたアーマチュアと、前記アーマチュアと共に回転する回転シャフトと、磁性体により構成されるステータハウジングに固定され、前記ロータと前記アーマチュアとを吸着させる磁力を発生するための電磁コイルと、前記回転シャフトに対して固定された磁石と、前記ステータハウジングに対して固定され、前記磁石の磁気を検出する磁気検出手段と、前記磁気検出手段と前記電磁コイルとの間に配置された磁気シールド手段とを備えることを特徴とする電磁クラッチである。
【０００８】
請求項１に記載の発明によれば、電磁コイルと磁気検出手段との間に磁気シールド手段があるので、磁気検出手段に到達する電磁コイルからの漏れ磁束を少なくでき、電磁コイルが生成する磁束が磁気検出手段の出力に及ぼす影響を軽減することができる。このため、検出精度を向上させることができる。磁気シールド手段は、極力透磁率の高い磁性体によって構成されることが望ましい。磁気シールド手段を構成する磁性体としては、鉄、フェライト材料、その他一般に磁気シールド効果が得られる材料として知られているものを利用することができる。
【０００９】
ここで、アーマチュアは、回転シャフトに対して直接固定されていてもよいし、間接的に固定されていてもよい。電磁コイルもステータハウジングに対して、直接固定されていてもよいし、間接的に固定されていてもよい。磁石も回転シャフトに対して、直接固定されていてもよいし、間接的に固定されていてもよい。磁気検出手段もステータハウジングに対して、直接固定されていてもよいし、間接的に固定されていてもよい。磁気検出手段は、磁気を検出して、それを電気信号等に変換して出力することができる装置のことをいう。磁気検出手段としては、ＭＲ素子（磁気抵抗素子）を用いたデバイスを利用することが好ましい。なお、ここで「固定」とは、後述するようにアーマチュアが回転シャフトに板ばねを介して固定されている場合のような、回転方向に関しては固定されているが、軸方向に関しては可動であるような場合も含むものとする。
【００１０】
請求項２に記載の発明は、請求項１に記載の発明において、磁気シールド手段は、所定の間隔を有して配置された複数の磁気シールド板であることを特徴とする。請求項２に記載の発明によれば、磁気シールドが多重に行われるので、シールド効果をより高めることができる。このため、電磁コイルが生成する磁気の磁気検出手段への影響をさらに弱めることができる。多重に配置する磁気シールド板の数は、より多い方が磁気シールド効果を高くすることができる。
【００１１】
請求項３に記載の発明は、請求項１に記載の発明において、磁気シールド手段は、回転シャフトに対して固定された第１の磁気シールド板と、ステータハウジングに対して固定された第２の磁気シールド板とを備えることを特徴とする。請求項３に記載の発明によれば、回転シャフト側に固定された磁気シールド板（第１の磁気シールド板）とステータハウジング側（ステータ側）に固定された磁気シールド板（第２の磁気シールド板）によって、電磁コイルと磁気検出手段との間に２重磁気シールド構造が形成される。この構造によれば、互い違いに磁気シールド板が重なる配置となるので、漏洩磁束の少ない磁気シールド構造とすることができる。
【００１２】
また、回転シャフトが磁性体である場合、第１の磁気シールド板が回転シャフト側に固定されているので、第１の磁気シールド板が回転シャフトを介しての磁束の漏洩に対してシールド効果を発揮する。そして、第２の磁気シールド板がステータハウジング側に固定されているので、ステータハウジングを介しての磁束の漏洩に対してシールド効果を発揮する。このため、電磁コイル側から磁気検出手段側に漏洩する磁束を効果的に減らすことができる。
【００１３】
請求項４に記載の発明は、請求項３に記載の発明において、第１の磁気シールド板は、円板部分または円環部分を備えると共に、ステータハウジングと第２の磁気シールド板の間に配置され、第２の磁気シールド板は、円環部分と円筒部分とを備え、第２の磁気シールド板が備えた円環部分は、第１の磁気シールド板が備えた円板部分または円環部分に対向し、第２の磁気シールド板が備えた円筒部分は、第１の磁気シールド板が備えた円板部分または円環部分の外周面の外側を覆っていることを特徴とする。
【００１４】
請求項４に記載の発明によれば、第１の磁気シールド板がステータハウジングと第２の磁気シールド板との間に挟まれ、さらに第１の磁気シールド板の外周外側が第２の磁気シールド板の円筒部分によって覆われるので、第１の磁気シールド板を介して漏洩する磁束を遮蔽することができ、総合的な磁気シールド効果を高めることができる。
【００１５】
請求項５に記載の発明は、請求項１〜４のいずれか一項に記載の発明において、回転シャフトは磁性材料により構成されており、磁石は、非磁性材料のスペーサを介して回転シャフトに固定されていることを特徴とする。請求項５に記載の発明によれば、回転シャフトを所定の強度を確保できる磁性材料により構成できるので、強い回転力を伝達することができ、また高い信頼性を有する電磁クラッチを得ることができる。また、非磁性スペーサを利用することで、ここが磁性体である場合より回転シャフトから伝わってくる漏洩磁束を減少させることが可能となる。
【００１６】
請求項６に記載の発明は、請求項３〜５のいずれか一項に記載の発明において、第１の磁気シールド板は、回転シャフトの長手方向に垂直な断面の少なくとも一部を覆うことを特徴とする。請求項６に記載の発明によれば、回転シャフトの断面が磁気シールドされるので、回転シャフトの長手方向に形成される磁路を伝わってその端部（端面）から出てゆく磁束の影響を抑えることができる。特に回転シャフトを磁性材料で構成した場合、回転シャフトを介して漏洩する磁束の影響が大きいので、上記の構成は効果的となる。
【００１７】
請求項７に記載の発明は、請求項３〜６のいずれか一項に記載の発明において、回転シャフトは磁性材料により構成されており、第１の磁気シールド板は、非磁性材料のスペーサを介して回転シャフトに取り付けられていることを特徴とする。請求項７に記載の発明によれば、第１の磁気シールド板と、磁性体で構成される回転シャフトとの間に非磁性材料のスペーサが配置されるので、第１の磁気シールド板部分における回転シャフト端部からの漏洩磁束を減らすことができる。このため、第１の磁気シールド板の磁気シールド効果をより高く発揮させることができる。
【００１８】
請求項８に記載の発明は、請求項１に記載の発明において、回転シャフトは磁性材料により構成されており、磁気シールド手段は、磁気検出手段と電磁コイルとの間において、回転シャフトの断面を通る磁束を遮蔽する磁気シールド手段であることを特徴とする。
【００１９】
磁性体により構成される回転シャフトは、強度に優れコスト的にも有利であるが、回転シャフト自体が磁路となるので、回転シャフトを介した磁束漏洩の問題が顕在化する。請求項８に記載の発明によれば、回転シャフト内の長手方向における磁束が磁気シールド手段により遮蔽されるので、回転シャフトを介した磁束の磁気検出手段への漏洩を抑えることができる。これにより、電磁コイル側から回転シャフトを介して漏洩した磁束を磁気検出手段が検出し、回転情報の検出に悪影響が出る不都合を抑えることができる。
【発明の効果】
【００２０】
本発明によれば、磁気検出手段を用いた回転シャフトの回転情報検出機構を備えた電磁クラッチにおいて、磁気検出手段に及ぼすクラッチ動作に必要な磁力の影響を低減し、検出精度の向上を図ることができる技術を提供することができる。
【発明を実施するための最良の形態】
【００２１】
（１）第１の実施形態
（電磁クラッチの構成）
図１（Ａ）は、本発明の一例である電磁クラッチの概要を示す断面図であり、図１（Ｂ）は、図１（Ａ）の電磁クラッチを下面方向から見た下面図である。また、図２は、図１（Ａ）に示す電磁クラッチの概要を示す斜視図である。なお、図２は、図１（Ａ）の電磁クラッチの下側を上にし（つまり上下を逆にし）、それを斜め上方から見た状態が示されている。また図２では、部材を回転可能な状態で固定するベアリングは図示省略されている。
【００２２】
図１および図２には、電磁クラッチ１００が示されている。電磁クラッチ１００は、ロータ１０１を備えている。ロータ１０１は、磁性体で構成され、所定の厚みを有し、断面が略Ｕ字形状であり、軸方向から見ると円形を有している。この略Ｕ字形状の内側に後述するステータハウジング１０７と電磁コイル１０８の一部が収まる構造とされている。ロータ１０１には、円周方向に周回して延在するスリットＳ１およびＳ２が形成されている。図示省略されているが、スリットには、複数箇所（例えば３箇所）の接続部があり、内側の円環部分と外側の円環部分とがそこで接続され、全体がロータ１０１として一体化されている。ロータ１０１は、ベアリング１０２によって、回転シャフト１０３に回転自在な状態で固定されている。
【００２３】
ロータ１０１の外周には、図示省略したウォームホイールが配置されている。このウォームホイールには、図示省略したウォームギアが噛み合っている。このウォームギアには、図示省略したモータ等の駆動手段が接続されている。図示省略したモータが回転すると、ウォームギアおよびウォームホイールを介して駆動力がロータ１０１に伝わり、ロータ１０１が回転する。
【００２４】
回転シャフト１０３は、駆動力を伝達する軸であり、所定の強度を確保するために磁性材料（例えば、炭素鋼Ｓ４５Ｃ）で構成されている。図１（Ａ）において、回転シャフト１０３の上部は、図示省略したプーリ機構（あるいはギア機構）を備え、この機構を介して、外部に回転シャフト１０３からの駆動力が伝達される。
【００２５】
回転シャフト１０３には、円環形状の板ばね１０４が固定され、板ばね１０４には、所定の厚さを有した磁性体により構成される円環形状のアーマチュア１０５が固定されている。つまり、アーマチュア１０５は、板ばね１０４を介して、回転シャフト１０３に固定されている。アーマチュア１０５には、スリットＳ３が形成されている。スリットＳ３の構造は、スリットＳ１およびＳ２と同じである。スリットＳ３は、中心軸方向から見て、スリットＳ１とＳ２との間の位置に形成されている。アーマチュア１０５は、ロータ１０１に対向して配置されている。また、電磁クラッチ１００がクラッチとして非接続の状態において、アーマチュア１０５は、ロータ１０１から僅かな（例えば数百μｍ）の間隔を有して離れている。
【００２６】
回転シャフト１０３は、ベアリング１０６によってステータハウジング１０７に回転自在な状態で保持されている。ステータハウジング１０７は、略Ｕ字形状の断面構造を有する磁性体で構成され、その略Ｕ字型の内側に電磁コイル１０８が収納されている。電磁コイル１０８は、回転シャフト１０３の中心軸と略同心として巻き線が周回する構造を有し、図示省略したボビンに巻かれている。電磁コイル１０８には、図示省略したリード線を介して、図示省略した駆動回路からの電源配線が接続されている。ステータハウジング１０７は、図示省略した外装構造体に固定されている。外装構造体は、電磁クラッチ１００の外側を覆う構造体である。
【００２７】
回転シャフト１０３の端部（図１（Ａ）の下側端部）には、非磁性スペーサ１０９を介して、多極磁石（多極マグネット）１１０が固定されている。この例において、非磁性スペーサ１０９は、非磁性ステンレス鋼（ＳＵＳ３０４）によって構成されている。図３は、多極磁石１１０の概要を示す上面図である。図３（Ａ）には、所定の回転位置における多極磁石１１０の状態が示され、図３（Ｂ）には、（Ａ）の状態から角度φ時計回り方向に回転した状態が示されている。図３に示すように、多極磁石１１０は、中心が円形にくり抜かれた円環形状を有し、外周の径方向にＮＳＮＳと着磁（ラジアル着磁）された永久磁石の磁極構造を有している。
【００２８】
電磁コイル１０８と多極磁石１１０との間には、第１の磁気シールド板１１１と第２の磁気シールド板１１３を構成要素とする磁気シールド手段が配置されている。まず、多極磁石１１０とステータハウジング１０７との間における回転シャフト１０３の端部（図１（Ａ）の下側端部）には、第１の磁気シールド板１１１が配置されている。第１の磁気シールド板１１１は、非磁性スペーサ１１２を介して、回転シャフト１０３の端部に固定されている。この例において、非磁性スペーサ１１２は、円環形状を有したステンレス鋼（ＳＵＳ３０４）によって構成されている。第１の磁気シールド板１１１は、中心に孔が形成された円環形状であり、磁性体（例えば冷間圧延鋼のＳＰＣＣ）により構成されている。回転シャフトに設けられた孔１１１ａに、非磁性スペーサ１０９の凸部が圧入されることで、第１の磁気シールド板１１１の回転シャフト１０３への固定、および多極磁石１１０の回転シャフト１０３への固定が行われている。ここで、固定は、圧入の代わりにネジ止めなどで行ってもよい。
【００２９】
孔１１１ａは、円形であり、その内径は、回転シャフト１０３の外径よりも小さい。このため、回転シャフト１０３の軸線を図１（Ａ）の下方向から見ると、回転シャフト１０３の端面（軸線に垂直な端部断面）は、その中心部分を除いて第１の磁気シールド板１１１によって覆われた状態とされている。
【００３０】
ステータハウジング１０７の露出面側（図１（Ａ）の下面側）には、第２の磁気シールド板１１３が固定されている。第２の磁気シールド板１１３は、例えば鋼材等の磁性体で構成されている。ステータハウジング１０７への第２の磁気シールド板１１３の固定は、例えばネジ止めによって行われている。第２の磁気シールド板１１３は、中心部分が円形に抜けた円環部分１１３ａと、この円環部分１１３ａの外周縁付近から回転シャフト１０３の軸線方向に延在し、ステータハウジング１０７に接触する円筒部分１１３ｂとを備えている。
【００３１】
この構造によれば、円環部分１１３ａ、円筒部分１１３ｂおよびステータハウジング１０７によって囲まれる厚みの有る円環形状の空間が形成され、そこに第１の磁気シールド板１１１が周囲と接触しない状態で収まる構造とされている。すなわち、円環部分１１３ｂが円環形状の第１の磁気シールド板１１１に、図１（Ａ）の下側から対向し、円筒部分１１３ｂが第１の磁気シールド板１１１の外周面の外側（外周の外側）を覆っている。
【００３２】
この構造によれば、第１の磁気シールド板１１１の一方の面（図１（Ａ）の上面）は、ステータハウジング１０７に所定の隙間を有して対向し、第１の磁気シールド板１１１の他方の面（図１（Ａ）の下面）は、第２の磁気シールド板１１３の円環部分１１３ａに所定の隙間を有して対向する。また、第１の磁気シールド板１１１の外周面（外周の縁部分）は、第２の磁気シールド板１１３の円筒部分１１３ｂに所定の間隔を有して対向する。
【００３３】
また、回転シャフト１０３の軸方向における円環部分１１３ａの位置は、多極磁石１１０よりも電磁コイル１０８側となるようにされている。また、円環部分１１３ａの内周面（内周の縁部分）は、多極磁石１１０の外周面（外周の縁部分）よりも内側に位置している。すなわち、円環部分１１３ａと多極磁石１１０は、その軸を共有し、円環部分１１３ａの内径は、多極磁石１１０の外径よりも小さなものとされている。円環部分１１３ａの内径は、非磁性スペーサ１０９に接触しない範囲内で、できるだけ小さい方が漏洩磁束を減らす効果を高くすることができる。
【００３４】
第２の磁気シールド板１１３の露出面（図１（Ａ）における下面）には、薄い非磁性材料（例えば樹脂材料）を挟んで装着される回路基板１１４上に、ＭＲセンサ１１５が配置されている。ＭＲセンサ１１５の位置は、多極磁石１１０の外周外側であり、また多極磁石１１０が配置された面上から少しずれた位置に配置されている。これはＭＲセンサ１１５を回路基板１１４上に載せているが、回路基板１１４の端部が多極磁石１１０に接触しないようにするためである。ＭＲセンサ１１５の位置は、多極磁石１１０の外周外側の面と同一面上であることが最も望ましいが、本実施態様の位置でも問題はない。
【００３５】
ＭＲセンサ１１５は、ＭＲ素子（磁気抵抗素子）をブリッジ接続したブリッジ回路を２つ備えた集積回路であり、磁界の向きの変化を検出して、それをアナログ信号として出力する。
【００３６】
すなわち、回転シャフト１０３がステータハウジング１０７に対して回転すると、多極磁石１１０も同時にステータハウジング１０７に対して回転する。この回転に伴い多極磁石１１０が作る磁界の向きも回転する。この際、回転する磁束がＭＲセンサ１１５の２つのブリッジ回路の部分を通過する。この磁界の向きの相対的な回転によって、ＭＲ素子によって構成されたブリッジ回路のバランスが変化し、磁界の向きの変化に応じた電気信号が出力される。この電気信号を電気的に処理することで回転シャフト１０３の回転情報を得ることができる。ここで、回転情報というのは、回転角、回転速度または回転方向に関する情報の一つまたは複数のことをいう。回転角の検出精度は、多極磁石１１０の磁極の数によって決まる。磁極の数をＮとすると、図３に示す回転角の検出分解能は、３６０°／Ｎとなる。
【００３７】
（電気的な構成）
次にＭＲセンサ１１５を用いた回転情報の検出機構の一具体例を説明する。図４は、ＭＲセンサの出力を処理し、回転シャフトの回転情報を得るための信号を出力する装置の回路構成の一例を示すブロック図である。図４には、図１に示すＭＲセンサ１１５が示されている。この例において、ＭＲセンサ１１５は、ブリッジ回路１１５ａ（ブリッジ回路Ａ）および１１５ｂ（ブリッジ回路Ｂ）備えている。ブリッジ回路１１５ａは、４つのＭＲ素子（磁気抵抗素子）Ｒ１〜Ｒ４により構成されている。ブリッジ回路１１５ｂは、４つのＭＲ素子（磁気抵抗素子）Ｒ５〜Ｒ８により構成されている。
【００３８】
図４の回路図に示されるように、ブリッジ回路１１５ｂは、ブリッジ回路１１５ａを４５°回転させた位置関係で配置されている。こうすることで、両者のブリッジ回路で４５°異なる方向の磁界を検出することになる。一方、多極磁石から出る磁力線は、図５の一番下に示すようになるが、この場合、ブリッジ回路１１５ａで検出される出力信号を図５（Ｂ）とすると、ブリッジ回路１１５ｂで検出される出力信号は、図５（Ｂ）の信号と９０°位相が異なるものになる。すなわち、回転シャフトを回転させた場合に、その回転角で計って９０°の位相差を有する信号を出力信号としてブリッジ回路１１５ａおよび１１５ｂから得ることができ、回転シャフトの回転角に応じた正弦波出力および余弦波出力を得ることができる。
【００３９】
ブリッジ回路１１５ａには、電源電圧Ｖccが加えられ、左側の中点は、差動増幅器４０１の＋側入力に接続され、右側の中点は、差動増幅器４０１の−側入力に接続されている。また、ブリッジ回路１１５ｂには、電源電圧Ｖccが加えられ、左側の中点は、差動増幅器４０２の＋側入力に接続され、右側の中点は、差動増幅器４０１の−側入力に接続されている。
【００４０】
この構成によれば、磁界の向きの変化による各ＭＲ素子の電気抵抗の変化を当該ブリッジ回路のバランスの変化として検出することができる。このブリッジ回路のバランスの変化は、差動増幅器４０１および４０２によって増幅される。差動増幅器４０１および４０２の出力は、滑らかなアナログ波形であるが、これらアナログ波形は、コンパレータＩＣ４０３に含まれる２つのコンパレータ（比較器）４０３ａおよび４０３ｂによって、それぞれ基準電圧と比較することにより、矩形波形に変換される。この構成によれば、前述したように９０°の位相差を有した２つの矩形波出力を得ることができる。
【００４１】
（実施形態の動作）
図１（Ａ）に示す電磁クラッチのクラッチ動作の一例を説明する。電磁コイル１０８に通電を行わない場合、アーマチュア１０５は、板ばね１０４の弾性に支えられ、ロータ１０１から上方に離れた場所に位置する。この際、ロータ１０１が図示省略した駆動機構により駆動され回転しても、その回転力は、アーマチュア１０５には伝わらない。したがって、回転シャフト１０３は回転しない。
【００４２】
電磁コイル１０８に通電を行うと、電磁コイル１０８が磁場を生成する。この磁場の磁束は、主に図１（Ａ）の矢印１１６で示す磁路を通る。この際、スリットＳ１〜Ｓ３が形成されているので、磁束がロータ１０１とアーマチュア１０５との間を屈曲しながら通る。このため、ロータ１０１へのアーマチュア１０５の吸引力を効果的に発生させることができる。この吸引力が、板ばね１０４の弾性力に打ち勝つと、アーマチュア１０５は、ロータ１０１側に引き寄せられ、ロータ１０１に接触する。この結果、ロータ１０１とアーマチュア１０５との間に摩擦力が発生する。こうして、クラッチを繋げた状態となる。
【００４３】
ここで、ロータ１０１が図示省略した駆動機構により駆動され回転すると、その回転力は、摩擦力によりアーマチュア１０５に伝わり、回転シャフト１０３が回転する。こうして、電磁クラッチ１００を用いた駆動力の伝達を行うことができる。
【００４４】
次に回転シャフト１０３の回転情報を得る方法の一例を説明する。図５は、磁気検出装置の出力およびそれを処理した信号の一例を示す波形図である。図５には、図１の回転シャフト１０３を回転させた場合における出力波形が概念的に示されている。図５には、磁気検出装置に対して、回転シャフト側の磁石のＮ極とＳ極とが順に通り過ぎる場合における出力波形が示されている。図５の波形の横軸は、回転シャフトの回転角（θ）であり、縦軸は、電圧値（相対値）である。
【００４５】
図５（Ａ）は、比較のためのデータであり、磁気検出装置の磁気検出手段としてホールセンサを利用した場合におけるホールセンサの出力波形である。図５（Ｂ）は、図４の差動増幅器４０１からの出力波形である。図５（Ｂ）に示すように、ＭＲ素子を用いたブリッジ回路１１５ａ（ブリッジ回路Ａ）の出力は、回転シャフトの回転に対して滑らかな波形となる。また、磁束磁界の向きの正負（Ｎ→Ｓの向き、およびＳ→Ｎの向き）に応じて（Ｖcc／２）を基準とした正弦波を出力する。
【００４６】
図４に示す回路構成では、図５（Ｂ）に示すアナログ波形をコンパレータ４０３によって矩形化し、図５（Ｃ）に示す矩形波形に変換する。こうして、図４に示すコンパレータ４０３ａからの出力Ａ（Ａ相出力）が得られる。また、図５では図示省略されているが、Ａ相出力と位相が９０°異なるＢ相出力が、コンパレータ４０３ｂから同時に出力される。このように、図５（Ａ）に示すホールセンサの場合は、一方向の磁界しか検出できないので、図５（Ｂ）に示すＭＲセンサを用いた場合に比べて検出できる最小角度が倍となり、分解能が低下する。
【００４７】
図５（Ｃ）に示すように、ブリッジ回路への磁界の向きの移動状態に基づいて、矩形波がコンパレータＩＣ４０３（図４参照）から出力される。よってこれらの矩形波に基づいて、回転シャフトの回転角および回転速度を得ることができる。また、位相差が９０°の２相の出力が得られるので、２つの出力を比較することで、回転シャフトの回転方向を知ることができる。
【００４８】
（実施形態の優位性）
図６は、磁気シールドの作用を説明する概念図である。図６の上下の向きは、図２に対応している。すなわち、図６には、図１（Ａ）に示す電磁クラッチを上下逆にした状態が概念的に示されている。また図６には、回転シャフトの中心軸を境にした電磁クラッチの半分の部分が概念的に記載されている。
【００４９】
以下、図６（Ａ）を用いて磁気シールドの作用について説明する。電磁コイル１０８（図１（Ａ）参照）に通電すると、主に矢印１６１の経路で磁路が形成される。これは、磁性体により構成されるステータハウジング１０７に主な磁路が形成されるからである。しかしながら、回転シャフト１０３が磁性体で構成されているので、その端部（図６の上端部）からの漏れ磁束が存在する。この漏れ磁束の中の主なものは、磁性材料である第１の磁気シールド板１１１に逃げ、矢印１６２で示す磁路が形成される。この磁路１６２を通る磁束は、一部が第２の磁気シールド板１１３に逃げ、磁路１６３を通って最終的にステータハウジング１０７内の磁路１６１において合流する。
【００５０】
すなわち、図６（Ａ）に示すように、回転シャフト１０３の端部からの漏洩磁束は、第１の磁気シールド板１１１によってまず低減される。第１の磁気シールド板１１１の上方には、さらに第２の磁気シールド板１１３が存在するので、第１の磁気シールド板を通り抜けた磁束は第２の磁気シールド板１１３で、さらに上方に通り抜けて行かないよう、遮蔽される。このため、第２の磁気シールド板１１３上に配置されているＭＲセンサ１１５に至る漏洩磁束は少なく抑えられる。特に、第２の磁気シールド板１１３は、円筒部分１１３ｂによってステータハウジング１０７に接触しているので、磁路１６３が効果的に形成される。このため、ＭＲセンサ１１５に至る磁束を効果的に抑えることができる。
【００５１】
また、非磁性スペーサ１１２を介して、回転シャフト１０３に第１の磁気シールド板１１１を取り付けている。回転シャフト１０３に第１の磁気シールド板１１１が直接接触するように取り付けた方が、回転シャフト１０３を通ってきた漏洩磁束は第１の磁気シールド板１１１に多く流れる。しかしながら、そうするとそれらの磁束の一部が第１の磁気シールド板１１１から周囲の空間に多く放出され、むしろＭＲセンサ１１５の近くに到達する磁束が増えることも考えられる。そこで後述するように、シミュレーション実験を行った結果、回転シャフト１０３に第１の磁気シールド板１１１を直接接触するように取り付けるよりも、非磁性スペーサ１１２を介して取り付けた方が磁気シールドの効果が大きいことが分かった。従って、このようにすることにより、検出精度を向上させることができる。
【００５２】
また、軸方向から見て（図５の上方から見て）、第１の磁気シールド板１１１が、回転シャフト１０３の軸に垂直な方向における断面積の大部分を覆っているので、回転シャフト１０３内部を通り、その軸方向に漏洩する磁束を少なく抑えることができる。このことも、ブリッジ回路１１５ａおよび１１５ｂに至る漏洩磁束を少なく抑える効果に貢献している。
【００５３】
こうして点線で示す磁路１６４を通る漏洩磁束を大きく低減させることができる。シミュレーション実験によると、何ら磁気シールド対策をしない状態で、ＭＲセンサ１１５付近における電磁コイル１０８（図１参照）からの漏洩磁束が２０ｍＴである場合、第１の磁気シールド板１１１を配置することで、この漏洩磁束の値は、９．４ｍＴ程度に減少することが確認されている。さらに第２の磁気シールド板１１３を配置することで、この漏洩磁束の値は、１．６ｍＴに減少することが確認されている。
【００５４】
図６（Ｂ）は、図６（Ａ）に示す構成において非磁性スペーサ１１２を用いなかった場合の例である。この場合、シミュレーション実験によれば、ＭＲセンサ１１５付近における電磁コイル１０８（図１参照）からの漏洩磁束は、３．０ｍＴに増加する。このことから、検出精度の向上に関して、非磁性スペーサ１１２を利用することの優位性が確認できる。
【００５５】
以下、上記シミュレーション実験の条件を説明する。図７は、シミュレーションに利用した各部の寸法の位置を示す概念図である。下記「表１」に、図７に示す各部の寸法の具体的な値を示す。
【００５６】
【表１】
2008286285.tif 000003
【００５７】
また、図４に示す回路構成は、磁界の向きを検出できるＭＲ素子を利用しているので、高分解能な角度検出を行うことができ、また角度情報の演算において、コンパレータ４０３から出力される矩形波をデジタル処理すればよいので、アナログ信号から複雑な演算処理を行って角度を求めるための高価な演算処理回路を必要とせず、低コスト化を追究することができる。
【００５８】
（２）他の実施形態
磁気シールド板は、さらに多段に配置することもできる。この場合、回転シャフト１０３側に固定された磁気シールド板を更に増やす、ステータハウジング１０７側に固定された磁気シールド板を更に増やす、あるいは回転シャフト１０３側に固定された磁気シールド板と、ステータハウジング１０７側に固定された磁気シールド板を共に増やす、といった構成を採用することができる。この際、各磁気シールド板は、隙間をおいて配置することが好ましい。
【００５９】
多極磁石および磁気検出装置により構成される角度情報検出のための機構を図１（Ａ）におけるアーマチュア１０５の上方に設けても良い。この場合、アーマチュア１０５と磁気検出装置との間にシールド手段が配置される。また、磁気検出手段としてホール素子を用いた構成を採用することもできる。しかしながら、図５（Ａ）と図５（Ｃ）とを比べれば明らかなように、角度検出分解能はＭＲ素子を利用したものの方が有利である。
【００６０】
また、図５（Ｂ）に示すアナログ波形をＡＤコンバータによりサンプリングし、それを演算処理することで、角度データを得る構成とすることも可能である。この場合、より高分解能の角度検出（回転シャフトの角度検出）を行うことが出来る。しかしながら、アナログ信号をＡＤコンバータでデジタル信号に変換し、演算を行うので、演算処理用の回路（ＩＣ）が必要となり、コストや消費電力の点で不利となる。
【００６１】
第１の磁気シールド板１１１として、中心に孔が形成されていない円板形状のものを用いてもよい。この場合、回転シャフト１０３に第１の磁気シールド板１１１を接着剤等により固定し、第１の磁気シールド板１１１に非磁性スペーサ１０９を接着剤等により固定すればよい。この態様によれば、回転シャフト１０３の端面のシールドをより徹底することができる。
【００６２】
また、第２の磁気シールド板１１３の円環部１１３ａの内径を回転シャフト１０３の外径よりも小さくする構成としてもよい。この場合、図１（Ａ）に示す構成において、非磁性スペーサ１０９の外径を小さくし、あるいは非磁性スペーサ１０９に外径を狭めた縮径部分を設け、第２の磁気シールド板１１３と非磁性スペーサ１０９とが干渉しないようにすればよい。この構成によれば、回転シャフト１０３の中心軸に垂直な断面の一部が、その軸方向から見て、第２の磁気シールド板１１３によって覆われることになる。そのため、回転シャフト１０３の端面から漏洩する磁束の遮蔽をより徹底することができ、検出精度をさらに高めることができる。
【産業上の利用可能性】
【００６３】
本発明は、回転情報の検出機能を有する電磁クラッチに利用することができる。
【図面の簡単な説明】
【００６４】
【図１】本発明の一例である電磁クラッチの概要を示す断面図（Ａ）および下面図（Ｂ）である。
【図２】図１に示す電磁クラッチの下面側の概要を示す斜視図である。
【図３】回転シャフトに固定された磁石の磁極の状態を示す概念図である。
【図４】回転情報を得るための電気的な構成を示すブロック図である。
【図５】磁気検出装置からの出力波形を示す概念図である。
【図６】磁路および磁束の漏洩状態を示す概念図である。
【図７】シミュレーションに利用した電磁クラッチ各部の寸法の位置を示す概念図である。
【符号の説明】
【００６５】
１００…電磁クラッチ、１０１…ロータ、１０２…ベアリング、１０３…回転シャフト、１０４…板ばね、１０５…アーマチュア、１０６…ベアリング、１０７…ステータハウジング、１０８…電磁コイル、１０９…非磁性スペーサ、１１０…多極磁石、１１１…第１の磁気シールド板、１１１ａ…孔、１１２…非磁性スペーサ、１１３…第２の磁気シールド板、１１４…回路基板、１１５…ＭＲセンサ、１１５ａ…ブリッジ回路、１１５ｂ…ブリッジ回路。
【図１】
2008286285.tif 000004
【図２】
2008286285.tif 000005
【図３】
2008286285.tif 000006
【図４】
2008286285.tif 000007
【図５】
2008286285.tif 000008
【図６】
2008286285.tif 000009
【図７】
2008286285.tif 000010